(57)【要約】【課題】充電予定地において電力を使い切る前に確実に充電を開始することができるようにする。【解決手段】自車位置を算出する自車位置算出処理手段と、施設の施設情報及び混雑情報を取得し、施設情報及び混雑情報に基づいて施設の充電施設に依存する充電コストを設定する施設コスト設定処理手段と、自車位置から施設までの経路を探索する探索処理手段と、探索された施設までの経路に沿った充電スケジュールを充電コストに基づいて設定するエネルギー制御判定処理手段と、充電スケジュールに基づいて、電動駆動装置１１を駆動する駆動制御処理手段とを有する。施設の充電施設に依存する充電コストが設定され、自車位置から施設までの経路が探索されるので、充電を開始する前に電力を使い切ってしまうことがなくなる。【選択図】図１
2008249503.tif 000002
【特許請求の範囲】
【請求項１】
電動車両の自車位置を算出する自車位置算出処理手段と、施設の施設情報及び混雑情報を取得し、該施設情報及び混雑情報に基づいて施設の充電施設に依存する充電コストを設定する施設コスト設定処理手段と、前記自車位置から前記施設までの経路を探索する探索処理手段と、前記探索された施設までの経路に沿った充電スケジュールを前記充電コストに基づいて設定するエネルギー制御判定処理手段と、前記充電スケジュールに基づいて電動駆動装置を駆動する駆動制御処理手段とを有することを特徴とする電動車両駆動制御システム。
【請求項２】
前記施設情報及び混雑情報は情報センタによって配信される請求項１に記載の電動車両駆動制御システム。
【請求項３】
前記施設情報は、施設の種別、施設内の充電スペースの有無、充電設備の混雑状況、及び使用可能な充電スペースの位置のうちの少なくとも一つである請求項１に記載の電動車両駆動制御システム。
【請求項４】
前記探索処理手段は、目的地に到着するまでに充電コストが変化したときに経路を再探索する請求項１に記載の電動車両駆動制御システム。
【請求項５】
前記施設コスト設定処理手段は、統計情報を加工して設定された予測情報に基づいて、目的地に到着するときの充電コストを設定する請求項１に記載の電動車両駆動制御システム。
【請求項６】
電動車両の自車位置を算出し、施設の施設情報及び混雑情報を取得し、該施設情報及び混雑情報に基づいて施設の充電施設に依存する充電コストを設定し、前記自車位置から前記施設までの経路を探索し、該探索された施設までの経路に沿った充電スケジュールを前記充電コストに基づいて設定し、前記充電スケジュールに基づいて電動駆動装置を駆動することを特徴とする電動車両駆動制御方法。
【発明の詳細な説明】
【技術分野】
【０００１】
本発明は、電動車両駆動制御システム及び電動車両駆動制御方法に関するものである。
【背景技術】
【０００２】
従来、電気自動車、ハイブリッド型車両等の電動車両、例えば、ハイブリッド型車両には、エンジンのトルクであるエンジントルクの一部を発電機（発電機モータ）に、残りを駆動輪に伝達するようにした車両駆動装置が搭載され、該車両駆動装置においては、サンギヤ、リングギヤ及びキャリヤを備えた差動回転装置としてのプラネタリギヤユニットを有し、前記サンギヤと発電機とを連結し、リングギヤと駆動モータ及び駆動輪とを連結し、キャリヤとエンジンとを連結し、前記リングギヤ及び駆動モータから出力された回転を駆動輪に伝達して駆動力を発生させるようにしている。
【０００３】
そして、前記車両駆動装置の制御を行うために電動車両駆動制御システムにおいては、ハイブリッド型車両を走行させる条件に応じて、エンジン及び発電機を停止させ、駆動モータだけを駆動するＥＶ走行モード（モータ駆動モード）、又はエンジン及び駆動モータを駆動し、発電機を補助的に駆動するＨＶ走行モード（エンジン・モータ駆動モード）が自動的に選択され、選択された走行モードに従ってハイブリッド型車両が走行させられるようになっている。
【０００４】
ところで、前記駆動モータはバッテリから供給された電流に基づいて駆動されるようになっている。この場合、公害、省エネルギー等の観点から、バッテリに充電された電力は、次回の充電までに使い切ることが望ましい。ところが、ハイブリッド型車両を走行させている間に電力を使い切ると、エンジンだけを駆動してハイブリッド型車両を走行させることになり、公害、省エネルギー等の観点から好ましくないだけでなく、ハイブリッド型車両を走行させるために必要な車両要求トルクを十分に発生させることができなくなってしまう。
【０００５】
そこで、ナビゲーションシステムを使用し、充電が可能な出発地から、充電が可能な目的地までの間の各地点において目標となるバッテリ残量を表す目標バッテリ残量を算出し、該目標バッテリ残量に基づいて、ＥＶ走行モード又はＨＶ走行モードを選択し、設定してハイブリッド型車両を走行させるようにしている（例えば、特許文献１参照。）。
【０００６】
そして、充電設備を備えた駐車場が充電が可能な目的地として設定された場合、ナビゲーションシステムによって前記駐車場までの経路が案内されるとともに、出発地から駐車場までの経路に沿って、各地点のバッテリ残量が設定される。
【特許文献１】特開２００４−７９６９号公報
【発明の開示】
【発明が解決しようとする課題】
【０００７】
しかしながら、前記従来の電動車両駆動制御システムにおいては、駐車場に到着しても、実際に充電するための駐車スペースにハイブリッド型車両を移動させるのに時間がかかったり、充電設備が混雑していて、直ちに充電を開始することができなかったりすることがあり、充電を開始する前に電力を使い切ってしまうことがある。
【０００８】
本発明は、前記従来の電動車両駆動制御システムの問題点を解決して、充電予定地において電力を使い切る前に確実に充電を開始することができる電動車両駆動制御システム及び電動車両駆動制御方法を提供することを目的とする。
【課題を解決するための手段】
【０００９】
そのために、本発明の電動車両駆動制御システムにおいては、電動車両の自車位置を算出する自車位置算出処理手段と、施設の施設情報及び混雑情報を取得し、該施設情報及び混雑情報に基づいて施設の充電施設に依存する充電コストを設定する施設コスト設定処理手段と、前記自車位置から前記施設までの経路を探索する探索処理手段と、前記探索された施設までの経路に沿った充電スケジュールを前記充電コストに基づいて設定するエネルギー制御判定処理手段と、前記充電スケジュールに基づいて電動駆動装置を駆動する駆動制御処理手段とを有する。
【発明の効果】
【００１０】
本発明によれば、施設情報及び混雑情報に基づいて施設の充電施設に依存する充電コストが設定され、自車位置から施設までの経路が探索され、探索された経路に沿った充電スケジュールが充電コストに基づいて設定されるので、充電を開始する前に電力を使い切ってしまうことがなくなる。
【００１１】
したがって、充電予定地において電力を使い切る前に確実に充電を開始することができる。
【発明を実施するための最良の形態】
【００１２】
以下、本発明の実施の形態について図面を参照しながら詳細に説明する。この場合、電動車両としてのハイブリッド型車両を走行させるための電動車両駆動制御システムについて説明する。
【００１３】
図１は本発明の実施の形態における電動車両駆動制御システムを示す図である。
【００１４】
図において、１０は電動車両駆動制御装置、１１はハイブリッド型車両を走行させるための駆動装置を構成する電動駆動装置、１４は情報端末、例えば、ハイブリッド型車両に搭載された車載装置としてのナビゲーション装置、６３はネットワーク、５１は情報提供者としての情報センタであり、前記ナビゲーション装置１４、ネットワーク６３、情報センタ５１等によってナビゲーションシステムが構成され、該ナビゲーションシステム、電動車両駆動制御装置１０、電動駆動装置１１等によって電動車両駆動制御システムが構成される。
【００１５】
前記電動駆動装置１１において、２１は第１の駆動源としてのエンジン（Ｅ）、２３は、該エンジン２１から伝達された回転に対して変速を行うとともに、トルクの分配を行う差動回転装置としてのプラネタリギヤユニット、２５は、該プラネタリギヤユニット２３における分配後のトルクが出力される出力ギヤ、２６は、前記プラネタリギヤユニット２３と連結された第２の駆動源としての、かつ、第１の電動機械としての発電機（Ｇ）である。
【００１６】
前記プラネタリギヤユニット２３は、少なくとも、第１の差動要素としてのサンギヤＳ、該サンギヤＳと噛（し）合するピニオンＰ、該ピニオンＰと噛合する第２の差動要素としてのリングギヤＲ、及び前記ピニオンＰを回転自在に支持する第３の差動要素としてのキャリヤＣＲを備え、前記サンギヤＳは発電機２６と、リングギヤＲは、第３の駆動源としての、かつ、第２の電動機械としての駆動モータ（Ｍ）２７及び駆動輪２８と、キャリヤＣＲはエンジン２１と連結される。そして、前記エンジン２１、発電機２６及び駆動モータ２７は、プラネタリギヤユニット２３を介して差動回転自在に、かつ、機械的に連結されるとともに、駆動輪２８と機械的に連結される。
【００１７】
なお、前記キャリヤＣＲと電動車両駆動制御装置１０の図示されないケースとの間に図示されないワンウェイクラッチが配設され、該ワンウェイクラッチは、逆方向の回転がエンジン２１に伝達されないようにする。
【００１８】
前記発電機２６は、プラネタリギヤユニット２３から伝達される回転によって電力を発生させる。そのために、前記発電機２６は、充電要素としてのバッテリ１８に接続され、該バッテリ１８に直流の電流を供給する。また、前記発電機２６において、図示されないロータと前記ケースとの間に図示されない発電機ブレーキが配設され、該発電機ブレーキを係合させることによってロータを固定し、発電機２６の回転を機械的に停止させることができる。
【００１９】
なお、本実施の形態においては、自宅等のように商用電源を利用することができ、所定の充電設備１９を備えた施設（地点）で、深夜電力等によってバッテリ１８を充電することができるようになっている。そのために、充電設備１９に図示されないコンセントが、ハイブリッド型車両に図示されないプラグが配設され、該プラグをコンセントに差し込むことによって、充電設備１９とバッテリ１８とが接続される。なお、本実施の形態においては、バッテリ１８を充電するようになっているが、バッテリ１８だけでなく、充電要素としてのキャパシタ等を充電することができる。
【００２０】
また、前記発電機２６は、図示されない発電機用インバータを介してバッテリ１８に接続され、前記発電機用インバータは、バッテリ１８から供給された直流の電流を交流の電流であるＵ相、Ｖ相及びＷ相の電流に変換し、発電機２６に送る。それに伴って、発電機２６が駆動され、発電機２６のトルクである発電機トルクが発生させられる。
【００２１】
そして、前記駆動モータ２７は、図示されない駆動モータ用インバータを介してバッテリ１８に接続され、前記駆動モータ用インバータは、バッテリ１８から供給された直流の電流を交流の電流であるＵ相、Ｖ相及びＷ相の電流に変換し、駆動モータ２７に送る。それに伴って、駆動モータ２７が駆動され、駆動モータ２７のトルクである駆動モータトルクが発生させられる。なお、ハイブリッド型車両を制動する場合等に駆動モータ２７によって回生した電力をバッテリ１８に充電することができる。
【００２２】
次に、前記電動駆動装置１１の制御を行うための電動車両駆動制御装置１０について説明する。
【００２３】
該電動車両駆動制御装置１０において、４１はハイブリッド型車両の全体の制御を行うための車両制御装置であり、該車両制御装置４１には、エンジン２１の制御を行うためのエンジン制御装置４６、発電機２６の制御を行うための発電機制御装置４７、及び駆動モータ２７の制御を行うための駆動モータ制御装置４９が接続されるとともに、ナビゲーション装置１４のナビゲーション処理部１７が接続される。
【００２４】
前記車両制御装置４１は、ＣＰＵ６１、該ＣＰＵ６１が各種の演算処理を行うに当たってワーキングメモリとして使用されるＲＡＭ６２、制御用のプログラムが記録されたＲＯＭ６４等を備える。また、前記エンジン制御装置４６、発電機制御装置４７及び駆動モータ制御装置４９は、図示されないＣＰＵ、ＲＡＭ、ＲＯＭ等から成り、それぞれ、エンジン２１、発電機２６及び駆動モータ２７の制御を行う。
【００２５】
なお、前記エンジン制御装置４６、発電機制御装置４７、駆動モータ制御装置４９及びナビゲーション処理部１７によって車両制御装置４１より下位の第１の制御装置が、前記車両制御装置４１によって、エンジン制御装置４６、発電機制御装置４７、駆動モータ制御装置４９及びナビゲーション処理部１７より上位の第２の制御装置が構成される。
【００２６】
前記ナビゲーション装置１４は、ハイブリッド型車両の現在地を自車位置として、ハイブリッド型車両の方位を自車方位として検出する現在地検出部としてのＧＰＳセンサ１５、図示されない地図データのほかに各種の情報が記録された情報記録部としてのデータ記録部１６、ナビゲーション処理等の各種の演算処理を行うナビゲーション処理部１７、操作者である運転者が操作することによって所定の入力を行うための第１の入力部としての操作部３４、図示されない画面に表示された画像によって各種の表示を行い、運転者に通知するための第１の出力部としての表示部３５、運転者が音声によって所定の入力を行うための第２の入力部としての音声入力部３６、音声出力を行い、各種の情報を運転者に通知するための第２の出力部としての音声出力部３７、及び通信端末として機能する送受信部としての通信部３８を備え、前記ナビゲーション処理部１７に、ＧＰＳセンサ１５、データ記録部１６、操作部３４、表示部３５、音声入力部３６、音声出力部３７及び通信部３８が接続される。そして、前記ＧＰＳセンサ１５は、自車位置及び自車方位のほかに時刻を検出する。なお、ＧＰＳセンサ１５とは別体に方位センサを配設することによって自車方位を検出することができる。
【００２７】
前記データ記録部１６は、地図データファイルから成る地図データベースを備え、該地図データベースに地図データが記録される。該地図データには、交差点（分岐点）に関する交差点データ、ノードに関するノードデータ、道路リンクに関する道路データ、探索用に加工された探索データ、施設に関する施設データ等が含まれるほか、道路上の地物に関する地物データが含まれる。
【００２８】
さらに、前記データ記録部１６には、統計データファイルから成る統計データベース、走行履歴データファイルから成る走行履歴データベース等が形成され、前記統計データファイルに統計データが、前記走行履歴データファイルに走行履歴データが、いずれも実績データとして記録される。
【００２９】
前記データ記録部１６は、前記各種のデータを記録するために、ハードディスク、ＣＤ、ＤＶＤ、光ディスク等の図示されないディスクを備えるほかに、各種のデータを読み出したり、書き込んだりするための読出・書込ヘッド等の図示されないヘッドを備える。また、前記データ記録部１６にメモリカード等を使用することができる。なお、前記各ディスク、メモリカード等によって外部記憶装置が構成される。
【００３０】
本実施の形態においては、前記データ記録部１６に、前記地図データベース、統計データベース、走行履歴データベース等が配設されるようになっているが、情報センタ５１において、前記地図データベース、統計データベース、走行履歴データベース等を配設することもできる。
【００３１】
また、前記ナビゲーション処理部１７は、ナビゲーション装置１４の全体の制御を行う制御装置としての、かつ、演算装置としてのＣＰＵ３１、該ＣＰＵ３１が各種の演算処理を行うに当たってワーキングメモリとして使用されるＲＡＭ３２、制御用のプログラムのほか、目的地までの経路の探索、経路案内等を行うための各種のプログラムが記録されたＲＯＭ３３、各種のデータ、プログラム等を記録するために使用される図示されないフラッシュメモリ等を備える。
【００３２】
前記操作部３４として、表示部３５とは別体に配設された図示されないキーボード、マウス等を使用することができる。また、前記操作部３４として、前記表示部３５に形成された画面に画像で表示された各種のキー、スイッチ、ボタン等の画像操作部をタッチ又はクリックすることによって、所定の入力操作を行うことができるようにしたタッチパネルを使用することができる。
【００３３】
前記表示部３５としてディスプレイが使用され、表示部３５に形成された各種の画面に、自車位置、自車方位等を表示したり、地図、探索経路、該探索経路に沿った案内情報、交通情報等を表示したり、探索経路における次の交差点までの距離、次の交差点における進行方向を表示したりすることができる。
【００３４】
また、音声入力部３６は、図示されないマイクロホン等によって構成され、音声によって必要な情報を入力することができる。さらに、音声出力部３７は、図示されない音声合成装置及びスピーカを備え、前記探索経路の経路案内を音声出力によって行う。
【００３５】
前記通信部３８は、ＶＩＣＳ（登録商標：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタ等の道路交通情報センタから送信された現況の交通情報、一般情報等の各種の情報を受信するための図示されないビーコンレシーバ、ＦＭ放送局を介してＦＭ多重放送として受信するための図示されないＦＭ受信機等を備える。そして、通信部３８は、前記情報センタ５１から、交通情報、一般情報等の情報のほかに、前記地図データ、統計データ、走行履歴データ等のデータをネットワーク６３を介して受信することができる。
【００３６】
そのために、前記情報センタ５１は、サーバ５３、通信部５７、情報記録部としてのデータベース（ＤＢ）５８等を備え、前記サーバ５３はＣＰＵ５４、ＲＡＭ５５、ＲＯＭ５６等を備える。前記データベース５８に、前記データ記録部１６に記録された各種のデータと同様のデータが記録される。
【００３７】
なお、前記電動車両駆動制御システム、電動車両駆動制御装置１０、エンジン制御装置４６、発電機制御装置４７、駆動モータ制御装置４９、ナビゲーションシステム、ナビゲーション処理部１７、サーバ５３、ＣＰＵ３１、５４、６１等は、単独で、又は二つ以上組み合わせることによってコンピュータとして機能し、各種のプログラム、データ等に基づいて演算処理を行う。
【００３８】
前記データ記録部１６、ＲＡＭ３２、５５、６２、ＲＯＭ３３、５６、６４、フラッシュメモリ等によって記録装置及び記録媒体が構成される。また、ＣＰＵ３１、５４、６１等によって演算装置が構成される。そして、演算装置として、ＣＰＵ３１、５４、６１に代えてＭＰＵ等を使用することもできる。
【００３９】
次に、前記ナビゲーション装置１４の基本動作について説明する。
【００４０】
まず、運転者によって操作部３４が操作され、ナビゲーション装置１４が起動されると、ＣＰＵ３１の図示されない現在地読込処理手段は、現在地読込処理を行い、ＧＰＳセンサ１５によって検出された自車位置を読み込む。次に、前記ＣＰＵ３１の図示されない自車位置算出処理手段は、自車位置算出処理（マッチング処理）を行い、読み込まれた自車位置の軌跡、及び自車位置の周辺の道路を構成する各道路リンクの形状、配列等に基づいて、自車位置がいずれの道路リンク上に位置するかを判定することによって、自車位置を算出し、特定する。
【００４１】
続いて、ＣＰＵ３１の図示されない基本情報取得処理手段は、基本情報取得処理を行い、前記地図データを、データ記録部１６から読み出して取得するか、又は通信部３８を介して情報センタ５１等から受信して取得する。なお、地図データを情報センタ５１等から取得する場合、前記基本情報取得処理手段は、受信した地図データをフラッシュメモリにダウンロードする。
【００４２】
そして、前記ＣＰＵ３１の図示されない表示処理手段は、表示処理を行い、前記表示部３５に各種の画面を形成する。例えば、表示処理手段の地図表示処理手段は、地図表示処理を行い、表示部３５に地図画面を形成し、該地図画面に周囲の地図を表示するとともに、自車位置及び自車方位を表示する。
【００４３】
したがって、運転者は、前記地図、自車位置及び自車方位に従って車両を走行させることができる。
【００４４】
また、運転者が操作部３４を操作して目的地を入力すると、ＣＰＵ３１の図示されない目的地設定処理手段は、目的地設定処理を行い、目的地を設定する。なお、本実施の形態においては、操作部３４を操作して目的地を入力する代わりに、電子手帳、パソコン等の図示されない端末装置において、運転者がハイブリッド型車両を走行させる予定を表す行動スケジュールを入力するようになっている。そのために、ナビゲーション装置１４は、電子手帳を接続するための図示されないコネクタ、パソコンとの間でデータの送受信を行うための通信部３８等を備える。
【００４５】
前記行動スケジュールは、各日付における、出発地、目的地、出発地における出発予定時間、目的地における到着予定時間等から成る。
【００４６】
続いて、前記ナビゲーション装置１４において、前記ＣＰＵ３１の図示されない行動スケジュール取得処理手段は、行動スケジュール取得処理を行い、ハイブリッド型車両が走行を開始する前に、前記端末装置から入力された行動スケジュールを読み込むことによって取得し、最初の出発地である自宅から出発し、各目的地に立ち寄り、最後の目的地である自宅に帰るまでの行動スケジュールを目的地スケジュールとして設定する。
【００４７】
このようにして、目的地スケジュール等が設定され、必要に応じて、運転者が操作部３４を操作して探索条件を入力すると、ＣＰＵ３１の図示されない探索処理手段は、探索処理を行い、前記自車位置、目的地スケジュール等を読み込むとともに、データ記録部１６から探索データ、施設データのうちの充電設備を備えた駐車場、電気ステーション等の充電施設のデータ（以下「充電施設データ」という。）等を読み出し、自車位置、目的地、探索データ、充電施設データ等に基づいて、目的地スケジュールにおける最初の出発地から最後の目的地までの探索経路を前記探索条件で探索して、経路データを出力する。
【００４８】
なお、前記探索経路は、目的地スケジュールにおける各出発地から各目的地までの経路の集まりから成る。また、経路データは、探索経路を表すデータのほかに、探索経路上の探索された充電施設を表すデータから成る。そして、前記探索処理においては、各道路リンクごとに付与されたリンクコストの合計が最も小さい経路が探索される。
【００４９】
本実施の形態においては、ＣＰＵ３１において探索処理手段が探索処理を行うようになっているが、前記情報センタ５１において探索処理を行うことができる。
【００５０】
続いて、前記ＣＰＵ３１の図示されない案内処理手段は、案内処理を行い、経路案内を行う。そのために、前記案内処理手段の経路表示処理手段は、経路表示処理を行い、前記経路データを読み込み、経路データに従って前記地図画面に探索経路を表示する。
【００５１】
ところで、前記発電機２６及び駆動モータ２７は、バッテリ１８から供給された電流に基づいて駆動されるようになっている。この場合、公害、省エネルギー等の観点から、バッテリ１８に充電された電力は、次回の充電までに使い切ることが望ましい。ところが、ハイブリッド型車両を走行させている間に電力を使い切ると、ＨＶ走行モードであるにもかかわらず、エンジン２１だけを駆動してハイブリッド型車両を走行させることになり、公害、省エネルギー等の観点から好ましくないだけでなく、ハイブリッド型車両を走行させるために必要な車両要求トルクを十分に発生させることができなくなってしまう。
【００５２】
そこで、本実施の形態においては、ナビゲーション装置１４において、前記探索データに基づいて、前記充電施設を充電予定地とし、充電が可能な各出発地から、充電予定地までの間の経路上の各地点における望ましいバッテリ残量ＳＯＣをバッテリ残量ＳＯＣの目標値、すなわち、目標充電容量としての目標バッテリ残量ＳＯＣ* を算出するようにしている。
【００５３】
そのために、ＣＰＵ３１の図示されない充電スケジュール設定処理手段としてのエネルギー制御判定処理手段は、充電スケジュール設定処理としてのエネルギー制御判定処理を行い、最初の出発地における充電容量としてのバッテリ残量ＳＯＣ、充電が可能な出発地から充電予定地までの距離、各充電予定地において再び出発するまでの、充電に費やすことができる時間、すなわち、充電充当時間、バッテリ１８を満充電するのに必要な時間、すなわち、充電所要時間等の充電条件を読み込み、該充電条件に基づいて、充電が可能な出発地を出発してからの走行距離を算出し、次の充電予定地に到着したときのバッテリ残量ＳＯＣが０〔％〕になるように、各地点における目標バッテリ残量ＳＯＣ* を算出し、各地点ごとの目標バッテリ残量ＳＯＣ* から成る充電スケジュールを設定する。
【００５４】
なお、前記バッテリ残量ＳＯＣは、バッテリ１８の容量に対するバッテリ１８に充電されている電荷量の割合を表す値であり、充電残量を構成する。バッテリ残量ＳＯＣを算出するために、バッテリ１８には、バッテリ電圧を検出する図示されない電圧検出部としてのバッテリ電圧センサ、及びバッテリ電流を検出する図示されない電流検出部としてのバッテリ電流センサが配設され、前記バッテリ電圧センサのセンサ出力及びバッテリ電流センサのセンサ出力が車両制御装置４１に供給されるようになっている。そして、該車両制御装置４１の図示されない充電残量算出処理手段としてのバッテリ残量算出処理手段は、充電残量算出処理としてのバッテリ残量算出処理を行い、バッテリ残量ＳＯＣを算出する。
【００５５】
この場合、最初の出発地及び最終の目的地は自宅とし、自宅を出発する際のバッテリ１８は、満充電されていて、バッテリ残量ＳＯＣは１００〔％〕であるとし、自宅に到着したときのバッテリ残量ＳＯＣは０〔％〕であるとする。そして、各充電予定地に到着したときのバッテリ残量ＳＯＣも、ほぼ０〔％〕とし、前記各充電予定地で充電を行うものとする。また、各充電予定地における充電充当時間が充電所要時間より短い場合、各充電予定地に到着したときに充電を開始し、出発するときに充電を終了するものとする。この場合、バッテリ残量ＳＯＣは１００〔％〕にならないまま、次の目的地に向かうことになる。
【００５６】
なお、前記バッテリ残量ＳＯＣは、物理的に１００〔％〕になったり、０〔％〕になったりするものではなく、バッテリ１８を繰り返し経済的に使用し得る最も高いバッテリ残量を１００〔％〕とし、最も低いバッテリ残量を０〔％〕とする。また、バッテリ残量ＳＯＣは、バッテリ１８の性能、材質等によって異なり、例えば、アルカリ電池の場合には、きわめて低い値になるまで使用することができるが、鉛電池の場合には、過剰に低い値まで使用すると寿命を短くするので、所定の容量を残した状態をバッテリ残量ＳＯＣが０〔％〕であるとする。
【００５７】
前述されたように、充電スケジュールが設定されると、ＣＰＵ３１の図示されない駆動制御指示処理手段は、駆動制御指示処理を行い、前記エネルギー制御判定処理における判定結果である充電スケジュールを電動車両駆動制御装置１０に通知し、電動駆動装置１１の駆動を指示する。
【００５８】
続いて、電動車両駆動制御装置１０において、ＣＰＵ６１の図示されない駆動制御処理手段は、駆動制御処理を行い、前記充電スケジュールに基づいて電動駆動装置１１を駆動する。
【００５９】
次に、前記駆動制御処理手段の動作について説明する。
【００６０】
まず、前記駆動制御処理手段の駆動条件取得処理手段は、駆動条件取得処理を行い、図示されないアクセルペダルに配設されたアクセルスイッチからアクセルペダル位置を、図示されないブレーキペダルに配設されたブレーキスイッチからブレーキペダル位置を読み込むとともに、前記駆動モータ２７に配設された位置検出部としての図示されないロータ位置センサ（レゾルバ等）からロータ位置を読み込み、該ロータ位置に基づいて走行条件としての車速を算出する。この場合、アクセルスイッチ及びブレーキスイッチは、運転操作量検出部として機能し、レゾルバは車速検出部として機能する。なお、前記車速は、出力ギヤ２５に車速検出部としての速度センサを配設し、該速度センサによって検出することもできる。
【００６１】
続いて、前記駆動制御処理手段の車両要求トルク算出処理手段は、車両要求トルク算出処理を行い、前記アクセルペダル位置、ブレーキペダル位置及び車速に基づいて、ハイブリッド型車両を走行させるのに必要な車両要求トルクＴＯ* を算出する。
【００６２】
次に、前記駆動制御処理手段の車両要求トルク判定処理手段は、車両要求トルク判定処理を行い、前記車両要求トルクＴＯ* が駆動モータ２７の定格としてあらかじめ設定されている最大の駆動モータトルク、すなわち、駆動モータ最大トルクより大きいかどうかを判断する。そして、車両要求トルクＴＯ* が駆動モータ最大トルクより大きい場合、前記駆動制御処理手段の急加速制御処理手段は、急加速制御処理を行い、前記エンジン２１が停止中であるかどうかを判断し、エンジン２１が停止中である場合、発電機２６及び駆動モータ２７を駆動してハイブリッド型車両をＥＶ走行モードで走行させる。
【００６３】
また、車両要求トルクＴＯ* が駆動モータ最大トルク以下である場合、及び車両要求トルクＴＯ* が駆動モータ最大トルクより大きく、かつ、エンジン２１が停止中でない場合、前記駆動制御処理手段の運転者要求出力算出処理手段は、運転者要求出力算出処理を行い、前記車両要求トルクＴＯ* と車速とを乗算することによって、運転者要求出力ＰＤを算出する。そして、前記駆動制御処理手段のバッテリ充放電要求出力算出処理手段は、バッテリ充放電要求出力算出処理を行い、ナビゲーション装置１４から充電スケジュールを読み込むとともに、前記バッテリ残量ＳＯＣを読み込み、現在のバッテリ残量ＳＯＣを前記充電スケジュールの目標バッテリ残量ＳＯＣ* に近づけるように充放電要求出力としてのバッテリ充放電要求出力ＬＳＯＣを算出する。続いて、前記駆動制御処理手段の車両要求出力算出処理手段は、車両要求出力算出処理を行い、前記運転者要求出力ＰＤとバッテリ充放電要求出力ＬＳＯＣとを加算することによって、車両要求出力ＰＯを算出する。
【００６４】
次に、前記駆動制御処理手段のエンジン目標運転状態設定処理手段は、エンジン目標運転状態設定処理を行い、前記ＲＯＭ６４に記録されたエンジン目標運転状態マップを参照し、前記車両要求出力ＰＯ、アクセルペダル位置等に基づいて、エンジン２１の効率が最も高くなる最適燃費曲線上の運転ポイントを決定し、該運転ポイントにおけるエンジン２１のトルク、すなわち、エンジントルクＴＥを、エンジントルクＴＥの目標値を表すエンジン目標トルクＴＥ* として決定し、前記運転ポイントにおけるエンジンの回転速度、すなわち、エンジン回転速度ＮＥをエンジン目標回転速度ＮＥ* として決定し、該エンジン目標回転速度ＮＥ* をエンジン制御装置４６に送る。
【００６５】
該エンジン制御装置４６は、エンジン制御装置４６の記録装置としてのＲＯＭに記録されたエンジン駆動領域マップを参照して、車速、バッテリ残量ＳＯＣ及び車両要求トルクＴＯ* に基づいて、電動駆動装置１１がエンジン２１を駆動するための駆動領域に置かれているかどうかを判断する。この場合、バッテリ残量ＳＯＣが大きいほど駆動領域が狭くされ、バッテリ残量ＳＯＣが小さいほど駆動領域が広くされる。
【００６６】
そして、エンジン２１が駆動領域に置かれているにもかかわらず、エンジン２１が駆動されていない場合、エンジン制御装置４６の図示されないエンジン制御処理手段は、エンジン制御処理を行い、エンジン２１を始動させ、ハイブリッド型車両をＨＶ走行モードで走行させる。また、エンジン２１が駆動領域に置かれていないにもかかわらず、エンジン２１が駆動されている場合、前記エンジン制御処理手段は、エンジン２１の駆動を停止させ、ハイブリッド型車両をＥＶ走行モードで走行させる。
【００６７】
そして、エンジン２１が駆動領域に置かれておらず、かつ、エンジン２１が駆動されていない場合、前記駆動制御処理手段の駆動モータ目標トルク算出処理手段は、駆動モータ目標トルク算出処理を行い、前記車両要求トルクＴＯ* を、目標となる駆動モータトルクＴＭ、すなわち、駆動モータ目標トルクＴＭ* として算出し、該駆動モータ目標トルクＴＭ* を駆動モータ制御装置４９に送る。該駆動モータ制御装置４９の図示されない電動機械制御処理手段としての駆動モータ制御処理手段は、電動機械制御処理手段としての駆動モータ制御処理を行い、駆動モータ２７のトルク制御を行う。
【００６８】
また、エンジン２１が駆動領域に置かれていて、かつ、エンジン２１が駆動されている場合、前記エンジン制御処理手段は、所定の方法でエンジン２１の制御を行う。
【００６９】
次に、発電機制御装置４７の図示されない発電機目標回転速度算出処理手段は、発電機目標回転速度算出処理を行い、具体的には、前記ロータ位置センサからロータ位置を読み込み、該ロータ位置に基づいてリングギヤＲの回転速度を算出するとともに、エンジン目標回転速度ＮＥ* を読み込み、リングギヤＲの回転速度及びエンジン目標回転速度ＮＥ* に基づいて、前記プラネタリギヤユニット２３におけるサンギヤＳ、ピニオンＰ及びリングギヤＲの歯数比で表される回転速度関係式によって、エンジン目標回転速度ＮＥ* に対応する発電機目標回転速度ＮＧ* を算出する。
【００７０】
ところで、前記構成のハイブリッド型車両をエンジン２１及び駆動モータ２７を駆動し、ハイブリッド型車両をＨＶ走行モードで走行させているときに、発電機２６の回転速度、すなわち、発電機回転速度ＮＧが低い場合、消費電力が大きくなり、発電機２６の発電効率が低くなるとともに、ハイブリッド型車両の燃費がその分悪くなってしまう。そこで、発電機回転速度ＮＧが低い場合、発電機ブレーキを係合させ、発電機２６を機械的に停止させ、燃費を良くするようにしている。
【００７１】
そして、目標となる発電機トルクＴＧ、すなわち、発電機目標トルクＴＧ* が決定され、発電機制御装置４７において前記発電機目標トルクＴＧ* に基づいて発電機２６のトルク制御が行われ、所定の発電機トルクＴＧが発生させられると、エンジントルクＴＥ、リングギヤＲのトルク、すなわち、リングギヤトルク及び発電機トルクＴＧは互いに反力を受け合うので、発電機トルクＴＧがリングギヤトルクに変換されてリングギヤＲから出力される。そして、リングギヤトルクがリングギヤＲから出力されるのに伴って、発電機回転速度ＮＧが変動し、前記リングギヤトルクが変動すると、変動したリングギヤトルクが駆動輪２８に伝達され、ハイブリッド型車両の走行フィーリングが低下してしまう。
【００７２】
そこで、前記駆動モータ目標トルク算出処理手段は、発電機回転速度ＮＧの変動に伴う発電機２６のイナーシャ分のトルクを見込んでリングギヤトルクを算出し、該リングギヤトルクに基づいて駆動モータ２７の出力軸におけるトルク、すなわち、駆動軸トルクを推定し、前記車両要求トルクＴＯ* から駆動軸トルクを減算することによって、駆動軸トルクでは過不足する分を前記駆動モータ目標トルクＴＭ* として算出する。
【００７３】
このように、前記充電スケジュール、アクセルペダル位置、ブレーキペダル位置、車速、バッテリ残量ＳＯＣ等の駆動条件に応じて、エンジン２１を停止させ、発電機２６及び駆動モータ２７を駆動するか、エンジン２１及び発電機２６を停止させ、駆動モータ２７だけを駆動してハイブリッド型車両をＥＶ走行モードで走行させたり、エンジン２１及び駆動モータ２７を駆動し、発電機２６を反力を受けるために駆動するか、エンジン２１及び駆動モータ２７を駆動し、発電機２６を機械的に停止させるかして、ハイブリッド型車両をＨＶ走行モードで走行させたりするようになっている。
【００７４】
ところで、例えば、充電設備を備えた駐車場が充電予定地として設定された場合、ナビゲーションシステムによって前記駐車場までの探索経路が探索され、出発地から駐車場までの探索経路に沿って、充電スケジュールが設定される。
【００７５】
ところが、駐車場に到着しても、実際に充電を行うための充電スペースにハイブリッド型車両を移動させるのに時間がかかったり、充電施設が混雑していて、直ちに充電を開始することができない場合、充電を開始する前に電力を使い切ってしまうことがある。
【００７６】
そこで、本実施の形態においては、前記探索処理において、直ちに充電を開始することができない可能性がある駐車場については、充電設備がある施設として探索されにくくされる。
【００７７】
図２は本発明の実施の形態における駐車場コスト設定処理のサブルーチンを示す図、図３は本発明の実施の形態における探索処理のサブルーチンを示す図、図４は本発明の実施の形態における駐車場の状態の例を示す第１の図、図５は本発明の実施の形態における駐車場の状態の例を示す第２の図、図６は本発明の実施の形態における駐車場の状態の例を示す第３の図、図７は本発明の実施の形態における駐車場の状態の例を示す第４の図である。
【００７８】
この場合、ＣＰＵ３１の図示されない施設コスト設定処理手段としての駐車場コスト設定処理手段は、施設コスト設定処理としての駐車場コスト設定処理を行い、充電設備を備えた施設、本実施の形態においては、駐車場のコストを設定する。なお、本実施の形態において、前記コストは、駐車場の充電施設に依存し、充電コストを構成する。
【００７９】
そのために、前記情報センタ５１（図１）において、データベース５８に駐車場の施設情報及び混雑情報が記録され、サーバ５３のＣＰＵ５４は、充電施設情報としての駐車場の施設情報、及び駐車場における混雑情報を通信部５７を介して配信する。前記駐車場の施設情報は、駐車場の位置、駐車場の種別、駐車場内の充電スペースの有無、充電設備の混雑状況、使用可能な充電スペースの位置等のうちの少なくとも一つから成り、前記データベース５８にあらかじめ記録される。また、駐車場の種別には、図４及び５に示されるような平面式の駐車場、図６に示されるような立体式の駐車場、図７に示されるようなタワー式の駐車場がある。また、駐車場における混雑情報は、道路交通情報センタから交通情報として送信され、駐車場の混雑の程度を表す混雑度として記録される。なお、該混雑度は、現在の混雑度だけでなく、過去の混雑度が統計情報として前記データベース５８に記録される。また、前記統計情報を加工することによって、将来の予測される混雑度が予測情報として設定され、データベース５８に記録される。
【００８０】
なお、図において、ＡＲ１〜ＡＲ６、ＡＲ１１〜ＡＲ１５は駐車スペースのうちの充電スペースを、ｆ１〜ｆ４は駐車場の階層を表す。
【００８１】
まず、前記駐車場コスト設定処理手段は、情報センタ５１から各駐車場の混雑情報を取得する。続いて、前記駐車場コスト設定処理手段の施設情報取得処理手段は、施設情報取得処理を行い、各駐車場の施設情報を取得する。
【００８２】
そして、前記駐車場コスト設定処理手段のコスト算出処理手段は、コスト算出処理を行い、駐車場に充電スペースがあるかどうかを判断し、充電スペースがある場合、駐車場の混雑度、充電設備の混雑状況、使用可能な充電スペースの位置等に基づいて、駐車場のコストを算出する。この場合、駐車場の混雑度が高いほどコストが高く、混雑度が低いほどコストが低くされる。また、図４に示されるように、空きの充電スペースが多い場合はコストが低く、図５に示されるように、充電設備が混雑していて、空きの充電スペースが少ない場合はコストが高くされる。さらに、充電スペースが駐車場の入り口に近い場合はコストが低く、充電スペースが駐車場の入り口から離れている場合はコストが高くされる。
【００８３】
そして、図６に示されるように、空きの充電スペースがあっても、地上から離れた上階、例えば、４階にある場合はコストが高くされる。なお、図７に示されるように、タワー式の駐車場においては、充電スペースの位置に関係なく、コストは等しくされる。
【００８４】
このようにして、コストが算出されると、前記駐車場コスト設定処理手段のコスト設定処理手段は、コスト設定処理を行い、算出されたコストを駐車場に設定する。
【００８５】
続いて、前記探索処理手段は、自車位置、目的地、探索データ、充電施設データ等の探索用のデータを取得し、該探索用のデータに基づいて、目的地があるかどうかを判断する。目的地がある場合、前記探索処理手段の充電設備判定処理手段は、充電設備判定処理を行い、目的地又はその周辺の施設の駐車場に充電設備があるかどうかを判断する。
【００８６】
次に、前記探索処理手段のコスト取得処理手段は、コスト取得処理を行い、目的地又はその周辺の施設の駐車場に充電設備がない場合、駐車場のコストを無効にし、目的地又はその周辺の施設の駐車場に充電設備がある場合、駐車場が充電予定地として設定されているかどうかを判断する。前記駐車場が充電予定地として設定されていない場合、前記探索処理手段の駐車場設定処理手段は、駐車場設定処理を行い、所定の駐車場を充電予定地として設定する。続いて、前記コスト取得処理手段は充電予定地として設定された駐車場についてコストを取得する。
【００８７】
このようにして、駐車場についてコストが取得されると、前記探索処理手段は、初期探索又は再探索が必要かどうかを判断し、初期探索又は再探索が必要な場合、前記探索処理手段のルート探索処理手段は、ルート探索処理を行い、前記リンクコストに基づいて目的地スケジュールにおける各出発地から各目的地までの経路を探索する。
【００８８】
ところで、駐車場のコストが高い場合、充電設備がある駐車場に到着してから充電を開始することができるまでの時間が長くなるので、その間にバッテリ１８の電力が消費され、バッテリ残量ＳＯＣがその間も小さくなる。そこで、前記ルート探索処理手段は、まず、目的地スケジュールにおける各出発地から各目的地までの経路をそれぞれ複数ずつ探索する。次に、前記探索処理手段の充電残量設定処理手段は、充電残量設定処理を行い、駐車場に到着した後にバッテリ残量ＳＯＣが低下すると想定される分だけ、駐車場に到着したとき、すなわち、目的地に到着したときのバッテリ残量ＳＯＣを大きく設定する。例えば、駐車場に到着した後にバッテリ残量ＳＯＣが２０〔％〕低下すると想定される場合は、目的地に到着したときのバッテリ残量ＳＯＣを２０〔％〕に設定する。
【００８９】
続いて、前記探索処理手段の探索結果設定処理手段は、探索結果設定処理を行い、各出発地から各目的地までの複数の経路に基づいて、最初の出発地から最後の目的地までの間の各出発地から各目的地までの各経路を探索結果として設定する。
【００９０】
一方、前記エネルギー制御判定処理手段は、前記探索処理の探索結果を取得し、探索された複数の経路に対してそれぞれ充電スケジュールを設定する。例えば、目的地に到着したときのバッテリ残量ＳＯＣが２０〔％〕に設定されている場合、目的地に到着したときにバッテリ残量ＳＯＣが２０〔％〕になるように充電スケジュールを設定する。
【００９１】
次に、前記探索処理手段の探索経路決定処理手段は、探索経路決定処理を行い、前記エネルギー制御判定処理手段によって設定された複数の経路における各充電スケジュールを取得し、複数の経路のうちの最適な経路を各出発地から各目的地までのそれぞれにおいて決定し、各最適な経路を連結することによって、最初の出発地から最後の目的地までの探索経路を決定する。
【００９２】
なお、前記最適な経路は、経路をＨＶ走行モードで走行する場合において、バッテリ残量ＳＯＣが前記設定された目的地に到着したときのバッテリ残量ＳＯＣとなり、かつ、エンジン２１を駆動するための燃料、本実施の形態においては、ガソリンの消費量が最も少なくなるような経路を表す。また、該ガソリンの消費量が最も少なくなるような経路は、道路リンクの勾配、渋滞度等のガソリンの消費量に影響を与える変量に基づいて算出される。
【００９３】
そして、前記駆動制御指示処理手段の判定結果通知処理手段は、判定結果通知処理を行い、前記探索経路決定処理手段によって決定された探索経路を取得し、決定された探索経路における充電スケジュールを読み込み、電動車両駆動制御装置１０に通知する。
【００９４】
ところで、初期探索において決定された経路において、充電予定地として設定された駐車場に向けてハイブリッド型車両を走行させている間に、駐車場のコストが変化することがある。そこで、前記探索処理手段は、駐車場に到着するまでの間、所定の周期で駐車場のコストを取得し、コストが変化したかどうかを判断し、コストが変化したときに、経路を再探索する。そして、前記初期探索処理と同様に、駐車場のコストが変化したときのハイブリッド型車両の自車位置からコストが変化した駐車場までの経路を複数探索し、目的地に到着したときのバッテリ残量ＳＯＣが、変化した駐車場のコストになるように充電スケジュールを設定し、設定された充電スケジュールに基づいて再探索された複数の経路から最適な経路を決定する。
【００９５】
また、駐車場のコストを算出するに当たり、駐車場に到着するときの混雑度を予測情報から取得することができる。その場合、探索処理の精度を高くすることができ、目的地に到着したときのバッテリ残量ＳＯＣの設定の精度を高くすることができる。したがって、適正な充電スケジュールを設定することができる。
【００９６】
次に、前記駆動制御指示処理手段は、前記探索処理の探索結果を取得し、探索経路がある場合、前記エネルギー制御判定処理手段は前記充電スケジュールを設定する。続いて、前記駆動制御指示処理手段の判定結果通知処理手段は、判定結果通知処理を行い、充電スケジュールを読み込み、電動車両駆動制御装置１０に通知する。
【００９７】
このように、本実施の形態においては、自車位置から駐車場までの経路が探索され、探索された経路に沿った充電スケジュールが充電コストに基づいて設定され、駐車場に到着しても、実際に充電するための駐車スペースにハイブリッド型車両を移動させるのに時間がかかったり、充電設備が混雑していて、直ちに充電を開始することができない場合、駐車場のコストが高くされるので、探索処理において、直ちに充電を開始することができる駐車場を充電予定地にすることができる。したがって、充電を開始する前に電力を使い切ってしまうことがなくなる。
【００９８】
次に、図２のサブルーチンについて説明する。
ステップＳ１  混雑情報を取得する。
ステップＳ２  施設情報取得処理を行う。
ステップＳ３  充電スペースがあるかどうかを判断する。充電スペースがある場合はステップＳ４に進み、ない場合はリターンする。
ステップＳ４  コストを算出する。
ステップＳ５  コスト設定処理を行い、リターンする。
【００９９】
次に、図３のサブルーチンについて説明する。
ステップＳ１１  探索用のデータを取得する。
ステップＳ１２  目的地があるかどうかを判断する。目的地がある場合はステップＳ１３に進み、ない場合はリターンする。
ステップＳ１３  駐車場に充電設備があるかどうかを判断する。駐車場に充電設備がある場合はステップＳ１４に、駐車場に充電設備がない場合はステップＳ１５に進む。
ステップＳ１４  駐車場が設定されているかどうかを判断する。駐車場が設定されている場合はステップＳ１７に進み、設定されていない場合はステップＳ１６に進む。
ステップＳ１５  駐車場のコストを無効にする。
ステップＳ１６  駐車場設定処理を行う。
ステップＳ１７  コストを取得する。
ステップＳ１８  初期探索又は再探索が必要であるかどうかを判断する。初期探索又は再探索が必要である場合はステップＳ１９に進み、必要でない場合はリターンする。
ステップＳ１９  ルート探索処理を行う。
ステップＳ２０  探索結果設定処理を行う。
ステップＳ２１  探索経路決定処理を行い、リターンする。
【０１００】
なお、本発明は前記実施の形態に限定されるものではなく、本発明の趣旨に基づいて種々変形させることが可能であり、それらを本発明の範囲から排除するものではない。
【図面の簡単な説明】
【０１０１】
【図１】本発明の実施の形態における電動車両駆動制御システムを示す図である。
【図２】本発明の実施の形態における駐車場コスト設定処理のサブルーチンを示す図である。
【図３】本発明の実施の形態における探索処理のサブルーチンを示す図である。
【図４】本発明の実施の形態における駐車場の状態の例を示す第１の図である。
【図５】本発明の実施の形態における駐車場の状態の例を示す第２の図である。
【図６】本発明の実施の形態における駐車場の状態の例を示す第３の図である。
【図７】本発明の実施の形態における駐車場の状態の例を示す第４の図である。
【符号の説明】
【０１０２】
１０    電動車両駆動制御装置
１１    電動駆動装置
１４    ナビゲーション装置
５１    情報センタ
６３    ネットワーク
【図１】
2008249503.tif 000003
【図２】
2008249503.tif 000004
【図３】
2008249503.tif 000005
【図４】
2008249503.tif 000006
【図５】
2008249503.tif 000007
【図６】
2008249503.tif 000008
【図７】
2008249503.tif 000009